(57)【要約】【課題】電源ユニットが故障して通信装置から取り出される際に、確実に感電事故等を防止する安全性の高い電源ユニットを提供する。【解決手段】本体の所定面に設けられ、電源ケーブルが接続されるコネクタ４と、所定面に設けられ、本体を筐体に取付ける取付け固定手段５と、ガイド孔８を備え、コネクタ４を覆う位置と取付け固定手段５を覆う位置とを上下通路端とするスライドカバー７と、スライドカバー７をスライド可能に支持する支持固定手段９とを有し、スライドカバー７は、支持固定手段９がガイド孔８に緩挿されることにより所定面に取付けられ、コネクタ４に電源ケーブルが接続されるとき、取付け固定手段５を覆う位置で固定される。【選択図】    図１
2005018665.tif 000002
【特許請求の範囲】
【請求項１】
本体の所定面に設けられ、電源ケーブルが接続されるコネクタと、
前記所定面に設けられ、本体を筐体に取付ける取付け固定手段と、
ガイド孔を備え、前記コネクタを覆う位置と前記取付け固定手段を覆う位置とを上下通路端とするスライドカバーと、
前記スライドカバーをスライド可能に支持する支持固定手段とを有し、
前記スライドカバーは、前記支持固定手段が前記ガイド孔に緩挿されることにより前記所定面に取付けられ、前記コネクタに前記電源ケーブルが接続されるとき、前記取付け固定手段を覆う位置で固定されることを特徴とする筐体に挿抜可能な電源ユニット。
【請求項２】
請求項１記載の電源ユニットにおいて、
前記スライドカバーが前記コネクタを覆う位置で固定されているとき、
前記取付け固定手段が緩められると、前記取付け固定手段は、前記スライドカバーの前記所定面からの高さより突出することを特徴とする筐体に挿抜可能な電源ユニット。
【請求項３】
請求項１記載の電源ユニットにおいて、
前記取付け固定手段は前記コネクタより上方に配置されることを特徴とする筐体に挿抜可能な電源ユニット。
【請求項４】
請求項１記載の電源ユニットにおいて、
前記取付け固定手段はバネ付きネジであることを特徴とする筐体に挿抜可能な電源ユニット。
【発明の詳細な説明】
【０００１】
【発明の属する技術分野】
本発明は、通信装置に搭載される電源ユニットの安全性や機能性を向上するための構造に関するものである。
【０００２】
【従来の技術】
【特許文献１】
特開平１１−１４９３３０号公報
電源ユニットに関する構造としては、例えば上記先行技術文献：特開平１１−１４９３３０に開示されるようなものがある。
以下、従来の通信装置に使用される電源ユニットは、図７を用いて説明される。図７は、従来の通信装置に使用される電源ユニットの全体斜視図である。
【０００３】
電源ユニットは、正面板１、電源部品２、およびプリント基板３で構成される。正面板１は通信装置外から供給される高電圧を受けるための電源コネクタ４および電源ユニットを通信装置１０に取付けて固定するための取付け固定ネジ５を有する。電源部品２は、通信装置外から供給される高電圧を通信装置１０で使用可能となる電圧まで変換させる機能を有する。プリント基板３は電源部品２によって変換後の電圧を通信装置１０などに供給するための供給用コネクタ７を有する。
【０００４】
通信装置１０に電源ユニットが搭載されると、取付け固定ネジ６が取付け固定ネジ６に対応する通信装置１０のネジ穴に対して締め付けられることにより、電源ユニットは通信装置１０に固定される。電源ユニットにはコネクタ付き電源ケーブル１１が接続され、通信装置外から高電圧が供給される。電源ユニットが交換される場合は、取付け固定ネジ５が緩められてから電源ユニットは取り出される構造となっていた。
【０００５】
【発明が解決しようとする課題】
しかしながら、上記図７に示される構造では、電源ユニットが故障して交換する必要が生じた場合、高電圧のコネクタ付き電源ケーブルをコネクタに接続した状態で、取付け固定ネジを緩めて電源ユニットを取り出すことが可能な構造であるため、電源ユニット内部の高電圧状態の電源部品を作業者が誤って触れてしまい、感電事故を起こすという問題があった。
このような問題を解決する手段としては、上記先行技術文献：特開平１１−１４９３３０に開示されるようなものがある。
【０００６】
本発明は、このような従来の構成が有していた問題を解決しようとしたものであり、より確実に感電事故を防止するために、正面板上をスライド可能なスライドカバーを設けた構造とし、電源ケーブルが電源コネクタに接続されているときには、取付け固定ネジがスライドカバーで覆われ、電源ユニットが通信装置から取り外せない構造とし、さらに電源ケーブルがコネクタに接続されていないときには、コネクタがスライドカバーで覆われるようにしたものである。
【０００７】
【課題を解決するための手段】
かかる課題を解決するため、本発明による電源ユニットは、本体の所定面に設けられ、電源ケーブルが接続されるコネクタと、所定面に設けられ、本体を筐体に取付ける取付け固定手段と、ガイド孔を備え、コネクタを覆う位置と取付け固定手段を覆う位置とを上下通路端とするスライドカバーと、スライドカバーをスライド可能に支持する支持固定手段とを有し、スライドカバーは、支持固定手段がガイド孔に緩挿されることにより所定面に取付けられ、コネクタに電源ケーブルが接続されるとき、取付け固定手段を覆う位置で固定されることを特徴とする。
【０００８】
また、本発明による電源ユニットは、上記電源ユニットにおいて、取付け固定手段はコネクタより上方に配置されることを特徴とする。
また、本発明による電源ユニット構造は、上記電源ユニットにおいて、取付け固定手段はバネ付きネジであることを特徴とする。
【０００９】
【発明の実施の形態】
以下、本発明による電源ユニットは図１〜図６を用いて説明される。図１は本発明の電源ユニットを示す全体斜視図である。図２は本発明の電源ユニットを示す正面図である。図１および図２に示すように、通信装置に挿抜可能な電源ユニットは、正面板１、電源部品２、およびプリント基板３から構成される。正面板１は通信装置外から供給される高電圧を受けるための電源コネクタ４および電源ユニットを通信装置に取付けて固定するための取付け固定ネジ５を有する。取付け固定ネジ５にはバネ付きネジが使用され、電源コネクタ４の上方に配置される。電源部品２は、通信装置外から供給される高電圧を通信装置で使用可能となる電圧まで変換させる機能を有する。プリント基板３は電源部品２によって変換後の電圧を通信装置などに供給するための供給用コネクタ６を有する。
【００１０】
また正面板１は、電源コネクタ４を覆う位置と取付け固定ネジ５を覆う位置とを上下通路端としてスライド移動するスライドカバー７を有する。スライドカバー７は、両側にスライド移動するためのガイド孔８を有し、それぞれのガイド孔８にスライドカバー７をスライド可能に支持する支持固定ネジ９が、緩挿されることにより正面板に取付けられる。またスライドカバー７は支持固定ネジ９を締め付けることにより、任意の位置で固定される。さらにスライドカバー７は上部に正面板１の方向に突出し、かつ窪みを有する凹型の保護カバーが設けられている。
【００１１】
図３は本発明の電源ユニットを示す側面断面図である。図３に示すように、電源ユニットが通信装置に搭載される前、取付け固定ネジ５は締め付けられる前の緩められた状態であり、取付け固定ネジ５の正面板１からの高さは、スライドカバーの同正面板１からの高さより突出した状態である。よって、取付け固定ネジ５は締め付けられる前の緩められた状態のときは、スライドカバー７はスライド移動して取付け固定ネジ５を覆うことができず、電源コネクタ４を覆う位置で固定される。これに対して、取付け固定ネジ５が締め付けられているときは、取付け固定ネジ５の正面板１からの高さは、スライドカバーの同正面板１からの高さよりも低くなっており、スライドカバー７は取付け固定ネジ５を覆うことが可能となる。スライドカバー７は、スライド移動されたどの位置においても少なくとも電源コネクタ４または取付け固定ネジ５のいずれかを覆うことができる大きさおよび形状である。本実施の形態においては、スライドカバー７は極力小型化しているために、電源コネクタ４が完全に覆われていない構造となっているが、より電源コネクタ４の保護を強化するために電源コネクタ４が完全に覆われる構造としても良い。
【００１２】
また、図３に示される矢印Ａは取付け固定ネジ５を締めるときの動作方向であり、矢印Ｂは、スライドカバー７が取付け固定ネジ５を覆うためにスライド移動する方向である。
図４は本発明の電源ユニットの通信装置に使用されるときの全体斜視図である。  図４に示すように、電源ユニットは２点線で示される通信装置１０に装着されるとき、取付け固定ネジ５が取付け固定ネジ５に対応する通信装置１０の図示されないネジ穴に対して締められることによって、電源ユニットは通信装置１０に固定される。その取付け固定ネジ５はスライドカバー７により覆われている。電源コネクタ４にはコネクタ付き電源ケーブル１１が接続され、通信装置外から高電圧が供給される。
【００１３】
次に図５および図６を用いて、上記の構成による電源ユニットの動作を説明する。図５は本発明の電源ユニットの動作を示す側面断面図である。図６は本発明の電源ユニットの動作を示す正面図である。電源ユニットが通信装置に搭載されるときは、まず取付け固定ネジ５は、図３に示される矢印Ａの方向に締め付けられる。このとき図５に示されるように取付け固定ネジ５は正面板１に押し込まれ、電源ユニットは通信装置に固定される。次にスライドカバー７は、図３に示される矢印Ｂの方向にスライド移動され、図５および図６に示されるように、取付け固定ネジ５を覆う位置で支持固定ネジ９が締め付けられ、固定される。保護カバーの窪みの部分は、取付け固定ネジ５が締め付けられスライドカバー７をスライド移動させるときに、保護カバーが取付け固定ネジ５に当たらない位置に設けられている。そして、図５および図６に示されるようにコネクタ付きケーブル１１が電源コネクタ４に接続されることによって、電源ユニットは使用される。
今度は電源ユニットを通信装置１０から取り外されるときの動作を説明する。電源ユニットが故障して交換する必要が生じた場合は、まずコネクタ付き電源ケーブル１１が外される。そして、支持固定ネジ９が緩められ、スライドカバー７がコネクタ４を覆う位置までスライド移動され、取付け固定ネジ５は開放される。最後に、取付け固定ネジ５を緩めることにより、電源ユニットは通信装置１０から取り外される。
【００１４】
これは、通信装置１０から電源ユニットを取り外すための取付け固定ネジ５がスライドカバー７で覆われているため、電源ユニットを取り外すことができず、また取付け固定ネジ５が、覆われたスライドカバー７から開放されるためには、コネクタ付き電源ケーブル１１が取り外され、スライドカバー７が電源コネクタ４を覆う位置までスライド移動させる必要があるからである。
また本実施の形態では、電源ユニットの電源コネクタ部分にスライドカバーを設ける構造としたが、信号用または警報用コネクタ部分においても適用が可能である。
【００１５】
【発明の効果】
以上のように、本発明の電源ユニットによれば電源ユニット交換時には、確実にコネクタ付き電源ケーブルを電源コネクタから抜いてから、電源ユニットを通信装置から取り出すことになるため、電源ユニット内部の高電圧状態の電源部品に作業者が誤って触れてしまい、感電事故等を起こすといった問題を解決することができ、安全性の高い電源ユニットが供給可能となる。さらに、コネクタ付き電源ケーブルがコネクタに接続されていないときには、スライドカバーはコネクタカバーとして機能する。
【図面の簡単な説明】
【図１】本発明の電源ユニットを示す全体斜視図
【図２】本発明の電源ユニットを示す正面図
【図３】本発明の電源ユニットを示す側面断面図
【図４】本発明の電源ユニットの通信装置に使用されるときの全体斜視図
【図５】本発明の電源ユニットの動作を示す側面断面図
【図６】本発明の電源ユニットの動作を示す正面図
【図７】従来の通信装置に使用される電源ユニットの全体斜視図
【符号の説明】
１…正面板、２…電源部品、３…プリント基板、４…電源コネクタ、５…取付け固定ネジ、６…供給用コネクタ、７…スライドカバー、８…ガイド孔、９…支持固定ネジ、１０…通信装置、１１…コネクタ付きケーブル
【図１】
2005018665.tif 000003
【図２】
2005018665.tif 000004
【図３】
2005018665.tif 000005
【図４】
2005018665.tif 000006
【図５】
2005018665.tif 000007
【図６】
2005018665.tif 000008
【図７】
2005018665.tif 000009